(57)【要約】ペンは、インクを貯留するインク貯留部と、インク貯留部からインクが供給されるペン先部であって、インクの塗布対象に対してインクを塗布するインク塗布部を含むペン先部とを備え、ペン先部のインク塗布部は、硬質材料製の硬質先端部であって、半球面状の外面及びインク貯留部側を向く内面を有し、且つ内面側と外面側とを貫通させた貫通部を有する硬質先端部と、少なくとも貫通部における硬質先端部の外面側に充填された気泡体であって、該気泡体の前記外面側から前記気泡体の前記内面側まで連通する少なくとも一つの気泡が形成された少なくとも一つの気泡体と、を含む。
2019230702.tif 000002
【特許請求の範囲】
【請求項１】
インクを貯留するインク貯留部と、
前記インク貯留部からインクが供給されるペン先部であって、インクの塗布対象に対してインクを塗布するインク塗布部を含むペン先部と、を備え、
前記ペン先部のインク塗布部は、
硬質材料製の硬質先端部であって、半球面状の外面及び前記インク貯留部側を向く内面を有し、且つ前記内面側と前記外面側とを貫通させた貫通部を有する硬質先端部と、
少なくとも前記貫通部における前記硬質先端部の外面側に充填された気泡体であって、該気泡体の前記外面側から前記気泡体の前記内面側まで連通する少なくとも一つの気泡が形成された少なくとも一つの気泡体と、を含むことを特徴とするペン。
【請求項２】
前記貫通部は、前記硬質先端部の外面における頂点を通る複数のスリットを有し、
前記複数のスリットは、前記硬質先端部の外面における頂点を中心にして放射状に配置されている請求項１に記載のペン。
【請求項３】
前記複数のスリットのそれぞれの幅は、互いに異なっている請求項２に記載のペン。
【請求項４】
前記少なくとも一つの気泡体は、それぞれ、弾性変形可能である請求項１乃至３の何れか１項に記載のペン。
【請求項５】
インクを貯留するインク貯留部であって、ペンの外装を構成する胴軸部に収容されるインク貯留部と、
前記インク貯留部からインクが供給されるペン先部であって、胴軸部から露出し、インクの塗布対象に対してインクを塗布するインク塗布部を含むペン先部と、を備え、
前記ペン先部のインク塗布部は、
硬質材料製の硬質先端部であって、半球面状の外面及び前記インク貯留部側を向く内面を有し、且つ前記内面側と前記外面側とを貫通させた貫通部を有する硬質先端部と、
少なくとも前記貫通部における前記硬質先端部の外面側に充填された気泡体であって、該気泡体の前記外面側から前記気泡体の前記内面側まで連通する少なくとも一つの気泡が形成された少なくとも一つの気泡体と、を含むことを特徴とするペン用リフィル。
【請求項６】
前記貫通部は、前記硬質先端部の外面における頂点を通る複数のスリットを有し、
前記複数のスリットは、前記硬質先端部の外面における頂点を中心にして放射状に配置されている請求項５に記載のペン用リフィル。
【請求項７】
前記複数のスリットのそれぞれの幅は、互いに異なっている請求項６に記載のペン用リフィル。
【請求項８】
前記少なくとも一つの気泡体は、それぞれ、弾性変形可能である請求項５乃至７の何れか１項に記載のペン用リフィル。
【発明の詳細な説明】
【関連出願の相互参照】
【０００１】
本願は、日本国特願２０１８−１０１５８２号の優先権を主張し、引用によって本願明細書の記載に組み込まれる。
【技術分野】
【０００２】
本発明は、筆記具や化粧具として用いられるペン及びペン用リフィルに関する。
【背景技術】
【０００３】
一般的に、筆記具や化粧具として用いられるペン及びペン用リフィルは、インクを貯留したインク貯留部と、インクの塗布対象（以下、単に塗布対象という）に摺接されるインク塗布部を含むペン先部であって、インク貯留部のインクがインク塗布部に供給されるペン先部とを備える。【０００４】
ペン先部には、種々形態のものがあり、その一つとして、半球面状の外面を有する金属製のインク塗布部を有するものが提供されている（例えば、特許文献１参照）。【０００５】
この種のペン先部のインク塗布部は、インク貯留部側を向く内面を有し、内面側と外面側とを貫通させた貫通部を有する。貫通部は、スリット（隙間）又は孔によって構成され、インク貯留部から供給されたインクを毛細管現象によってインク塗布部の内面側から該インク塗布部の外面上に誘導する。【０００６】
これにより、この種のペン先部を有するペン及びペン用リフィルは、インク塗布部の半球面状の外面を塗布対象に摺接させることにより、インク塗布部の外面に誘導されたインク、即ち、インク塗布部の半球面状の外面に付着したインクを塗布対象に塗布できる。また、この種のペン及びペン用リフィルは、金属製のペン先部（インク塗布部）を備えるため、塗布対象との摺接によるペン先部（インク塗布部）の摩耗が抑制される。【０００７】
ところで、上記構成のペン先部（インク塗布部）は、硬質であるため、インクを塗布対象に塗布する際（摺接する際）に、インク塗布部の外面上で貫通部を画定したエッジが塗布対象の表面を削ることがある。【０００８】
そのため、貫通部に塗布対象の削りカスが詰まり、インク塗布部の外面へのインクの供給が阻害されることがある。塗布対象の削りカスは、例えば、シート片、紙粉、皮膚、皮脂等である。【０００９】
従って、上記構成のペン及びペン用リフィルは、インクの塗布における耐摩耗性を有するものの、塗布対象に対してインクを安定的に塗布できなくなるといった問題を有する。
【先行技術文献】
【特許文献】
【００１０】
【特許文献１】日本国特開２００２―８６９７４号公報
【発明の概要】
【発明が解決しようとする課題】
【００１１】
そこで、本発明は、インク塗布部の摩耗を抑えつつ、塗布対象に対してインクを安定的に塗布することのできるペン及びペン用リフィルを提供することを課題とする。
【課題を解決するための手段】
【００１２】
本発明に係るペンは、インクを貯留するインク貯留部と、インク貯留部からインクが供給されるペン先部であって、インクの塗布対象に対してインクを塗布するインク塗布部を含むペン先部とを備え、ペン先部のインク塗布部は、硬質材料製の硬質先端部であって、半球面状の外面及びインク貯留部側を向く内面を有し、且つ内面側と外面側とを貫通させた貫通部を有する硬質先端部と、少なくとも貫通部における硬質先端部の外面側に充填された気泡体であって、該気泡体の前記外面側から前記気泡体の前記内面側まで連通する少なくとも一つの気泡が形成された少なくとも一つの気泡体と、を含むことを特徴とする。【００１３】
本発明の一態様として、貫通部は、硬質先端部の外面における頂点を通る複数のスリットを有し、複数のスリットは、硬質先端部の外面における頂点を中心にして放射状に配置されてもよい。【００１４】
この場合、複数のスリットのそれぞれの幅は、互いに異なっていてもよい。【００１５】
本発明の別の態様として、前記少なくとも一つの気泡体は、弾性変形可能であることが好ましい。【００１６】
本発明に係るペン用リフィルは、インクを貯留するインク貯留部であって、ペンの外装を構成する胴軸部に収容されるインク貯留部と、インク貯留部からインクが供給されるペン先部であって、胴軸部から露出し、インクの塗布対象に対してインクを塗布するインク塗布部を含むペン先部とを備え、ペン先部のインク塗布部は、硬質材料製の硬質先端部であって、半球面状の外面及びインク貯留部側を向く内面を有し、且つ内面側と外面側とを貫通させた貫通部を有する硬質先端部と、少なくとも貫通部における硬質先端部の外面側に充填された気泡体であって、該気泡体の前記外面側から前記気泡体の前記内面側まで連通する少なくとも一つの気泡が形成された少なくとも一つの気泡体と、を含むことを特徴とする。【００１７】
本発明の一態様として、貫通部は、硬質先端部の外面における頂点を通る複数のスリットを有し、複数のスリットは、硬質先端部の外面における頂点を中心にして放射状に配置されてもよい。【００１８】
この場合、複数のスリットのそれぞれの幅は、互いに異なっていてもよい。【００１９】
本発明の別の態様として、前記少なくとも一つの気泡体は、弾性変形可能であることが好ましい。
【図面の簡単な説明】
【００２０】
【図１】図１は、本発明の一実施形態に係るペンの断面図である。
【図２】図２は、同実施形態に係るペンの断面図であって、ペン本体からキャップを外した状態の断面図である。
【図３】図３は、同実施形態に係るペン（ペン本体）の部分拡大断面図である。
【図４】図４は、同実施形態に係るペン先部の斜視図である。
【図５】図５は、同実施形態に係るペン先部の部分拡大断面図である。
【図６】図６は、本発明の他実施形態に係るペン先部の斜視図である。
【図７】図７は、本発明の別の実施形態に係るペン先部の斜視図である。
【発明を実施するための形態】
【００２１】
以下、本発明の一実施形態について、添付図面を参照しつつ説明する。なお、本発明は、筆記具や化粧具として用いられる。ここでは、枚葉紙やノート等をインクの塗布対象とする筆記具を一例に説明することとする。
【００２２】
図１及び図２に示す如く、本実施形態に係るペン１は、インクの塗布対象（以下、単に塗布対象という）にインクを塗布するためのインク塗布部７０を有するペン本体２と、ペン本体２の少なくともインク塗布部７０を覆うキャップ３とを備える。
【００２３】
ペン本体２は、外装を構成する外装体４と、外装体４に内装されるペン用リフィル（以下、単にリフィルという。）５とを備える。
【００２４】
外装体４は、一端と該一端の反対側の他端とを有する筒状の胴軸部４０と、胴軸部４０の一端を閉塞する尻部４１とを備える。
【００２５】
リフィル５は、インクを貯留するインク貯留部６であって、ペン１の外装を構成する胴軸部４０に収容されるインク貯留部６と、インク貯留部６からインクが供給されるペン先部７であって、胴軸部４０から露出するインク塗布部７０を含むペン先部７とを備える。
【００２６】
より具体的に説明する。本実施形態に係るリフィル５は、インク貯留部６と、ペン先部７と、インク貯留部６のインクをペン先部７に向けて誘導するインク誘導部８と、ペン先部７のインク塗布部７０を露出させつつペン先部７を保持するホルダー部９とを備える。本実施形態において、リフィル５は、インク貯留部６とホルダー部９とを接続する接続部１０をさらに有する。
【００２７】
インク貯留部６は、有底筒状、例えば、有底円筒状に形成されている。例えば、インク貯留部６は、インクを収容する内部空間Ｓを画定した周壁部６０を有する。より具体的に説明すると、本実施形態のインク貯留部６は、一端と該一端の反対側の他端とを有する筒状の周壁部６０と、周壁部６０の一端を閉塞する閉塞部６１とを備える。これにより、インク貯留部６は、周壁部６０及び閉塞部６１によって閉じられた内部空間Ｓを有する。本実施形態において、インク貯留部６の内部空間Ｓには、液状のインクが充填される。
【００２８】
図３に示す如く、ペン先部７のインク塗布部７０は、硬質材料製の硬質先端部７１であって、半球面状の外面７１０及びインク貯留部６側を向く内面７１１を有し、且つ内面７１１側と外面７１０側とを貫通させた貫通部７２を有する硬質先端部７１と、少なくとも貫通部７２における硬質先端部７１の外面７１０側に充填された少なくとも一つの気泡体７３とを含む。
【００２９】
より具体的に説明する。ペン先部７は、硬質先端部７１を有するペン先部材７４と、少なくとも一つの気泡体７３とを含む。
【００３０】
ペン先部材７４は、金属やセラミック等の硬質材料により成型される。本実施形態に係るペン先部材７４は、金属製である。
【００３１】
ペン先部材７４は、図４に示す如く、第一端７５１と該第一端７５１の反対側の第二端７５２とを有する筒状本体部７５と、筒状本体部７５の第一端７５１に接続された硬質先端部７１とを備える。
【００３２】
筒状本体部７５は、大径筒部７５ａと、該大径筒部７５ａよりも小径な小径筒部７５ｂとを含む。大径筒部７５ａと小径筒部７５ｂとは同心で配置され、大径筒部７５ａの一端と小径筒部７５ｂの一端とが接続されている。すなわち、大径筒部７５ａと小径筒部７５ｂとは、互いの境界に段差部（採番しない）を作って接続されている。これにより、小径筒部７５ｂの他端は筒状本体部７５の第一端７５１を構成し、大径筒部７５ａの他端は、筒状本体部７５の第二端７５２を構成する。本実施形態において、小径筒部７５ｂの内径は、インク誘導部８の後述する中継芯８０を挿入可能に設定される。
【００３３】
本実施形態において、硬質先端部７１の内面７１１は、図３に示す如く、該硬質先端部７１の外面７１０の非相似形である。具体的には、硬質先端部７１の外面７１０は、外方に突出した半球面状であるのに対し、硬質先端部７１の内面７１１は、外方に向けて先細りしたテーパー面である。なお、硬質先端部７１の外面７１０の形状は特に特定されない。硬質先端部７１の内面７１１は、例えば、硬質先端部７１の頂点に向けて先細りしたテーパー面である。本実施形態において、筒状本体部７５の内面のうち、硬質先端部７１と隣接する領域にある領域が、テーパー面である。例えば、筒状本体部７５の内面のうち、小径筒部７５ｂの内面の一部がテーパー面である。また、例えば、硬質先端部７１の内面（テーパー面）は、隣接する筒状本体部７５の内面の一部であるテーパー面と連続している。すなわち、硬質先端部７１の内面７１１と、これに隣接する筒状本体部７５（小径筒部７５ｂ）の内面の一部とは、共通したテーパー面になっている。換言すると、硬質先端部７１の内面７１１と、筒状本体部７５（小径筒部７５ｂ）の内面の一部とは、同じ傾斜角のテーパー面である。
【００３４】
硬質先端部７１は、内面７１１の周囲に円環状の外周端を有する。硬質先端部７１の外周端は、筒状本体部７５の第一端７５１に対して全周に亘って液密に接続されている。筒状本体部７５の第一端７５１は、例えば、小径筒部７５ｂの他端である。
【００３５】
すなわち、硬質先端部７１は、該硬質先端部７１の外面７１０における頂点と環状の外周端の中心とを通る直線状の仮想線と、筒状本体部７５の中心線（筒軸）と、が一致するように配置される。環状の外周端の中心は、例えば、外面７１０の中心、具体的には、外面７１０の円弧面の曲率中心である。
【００３６】
硬質先端部７１には、内外を（硬質先端部７１の内と外とを）貫通させる貫通部７２が形成される。本実施形態において、貫通部７２は、図４に示す如く、硬質先端部７１の頂点を通る複数のスリット７２０…を有する。複数のスリット７２０…は、硬質先端部７１の頂点を中心にして放射状に配置される。具体的には、複数の（例えば、６つの）スリット７２０…は、硬質先端部７１の頂点と該硬質先端部７１の外面７１０の円弧面の曲率中心とを通る直線状の仮想線回りで、等間隔をあけて配置される。本実施形態において、複数のスリット７２０…のそれぞれの幅は、同一又は略同一に設定される。
【００３７】
本実施形態において、複数のスリット７２０…は、それぞれ、硬質先端部７１の内と外とを貫通している。換言すると、複数のスリット７２０…は、それぞれ、硬質先端部７１の内面７１１側と外面７１０側とを貫通させている。なお、複数のスリット７２０…は、それぞれ、硬質先端部７１を超えて小径筒部７５ｂの途中位置にまで伸びている。
【００３８】
本実施形態において、ペン先部材７４は、金属製の棒材を加工して作製される。具体的には、金属製の棒材の一方の端部を半球状に加工した後、その半球状の部分（硬質先端部７１になる部分）に切り込み（スリット）を設けるとともに、棒材に対して他方の端部（端面）から一方の端部に向けて延びる孔を設けることで作製される。本実施形態においては、金属製の棒材は、小径部と大径部とを含む二段の段付き棒であり、棒材の一方の端部は小径部の端部である。また、本実施形態においては、ペン先部材７４は、金属製の棒材の他方の端部から一方の端部に向けて掘り下げることで作製される。なお、ペン先部材７４の作製過程において、半球状の部分（硬質先端部７１になる部分）に切り込みを設ける工程を、棒材に対して孔を設ける工程、例えば、他方の端部から一方の端部に向けて掘り下げる工程よりも先に行ってもよい。また、ペン先部材７４の作製過程において、棒材に対して孔を設ける工程、例えば、他方の端部から一方の端部に向けて掘り下げる工程を、半球状の部分（硬質先端部７１になる部分）に切り込みを設ける工程よりも先に行ってもよい。
【００３９】
本実施形態において、少なくとも一つの気泡体７３は、図５に示すように、貫通部７２に対して全体的に充填されている。また、少なくとも一つの気泡体７３は、図６に示すように、貫通部７２における硬質先端部７１の外面７１０側に位置する端縁から、貫通部７２における硬質先端部７１の内面７１１側に位置する端縁まで充填されている。なお、本実施形態において、気泡体７３は、複数（例えば、６つ）設けられている。具体的に、各気泡体７３は、各スリット７２０に１対１で配置されている。また、各気泡体７３は、複数のスリット７２０…のそれぞれに対して全体的に充填されている。具体的に、各気泡体７３は、複数のスリット７２０…のそれぞれにおいて、硬質先端部７１の外面７１０に隣接する位置から内面７１１に隣接する位置に亘って充填されている。
【００４０】
本実施形態において、気泡体７３は、弾性変形可能とされる。例えば、気泡体７３は、樹脂材料で成型される。本実施形態の気泡体７３は、ウレタン樹脂で成型される。なお、気泡体７３の気泡は、樹脂材料に混ぜられた添加剤を、樹脂材料の成型後（例えば、樹脂材料が貫通部７２に充填された後、或いは、樹脂材料が貫通部７２の形状に即して成型された後）に除去することで形成される。本実施形態において、気泡体７３の気泡は、樹脂材料であるウレタン樹脂に混ぜられた添加剤である塩化ナトリウムを、例えば、樹脂材料が貫通部７２に充填された後、或いは、樹脂材料が貫通部７２の形状に即して成型された後に、塩化ナトリウムを除去する塩抜きを行うことで形成される。
【００４１】
本実施形態において、各気泡体７３は、複数の気泡を有する。複数の気泡は、互いに連通している。また、複数の気泡のそれぞれは、外表面（例えば、硬質先端部７１の外面７１０）に開放している。さらに、各気泡は、気泡体７３の外面７１０側から気泡体７３の内面７１１側まで連通している。具体的に、各気泡は、硬質先端部７１の外面７１０に隣接する位置から内面７１１に隣接する位置に亘って連続して延びている。
【００４２】
各気泡は、気泡体７３内において、例えば、ランダムに配置されていている。なお、気泡は、硬質先端部７１の内から外へ略直線状、略曲線状、蛇行した線状等に延びていてもよい。また、気泡は、硬質先端部７１の内から外へ樹形状に延びていてもよい。
【００４３】
なお、各気泡体７３は、一つの気泡を有していてもよい。この場合、一つの気泡は、外表面（例えば、硬質先端部７１の外面７１０）に開放していればよい。また、一つの気泡は、気泡体７３の外面７１０側から気泡体７３の内面７１１側まで連通していればよい。
【００４４】
図３に戻り、本実施形態に係るインク誘導部８は、インク貯留部６からペン先部７にインクを供給する中継芯８０と、中継芯８０のインク供給量を調整するコレクタ８１とを備える。
【００４５】
中継芯８０は、棒状に形成され、インク貯留部６に接続される一端部と、該一端部と反対側の他端部とを有する。具体的には、中継芯８０は、吸液性を有し、インク貯留部６（内部空間Ｓ）とペン先部７とに跨る長さの棒状に成型されている。
【００４６】
中継芯８０の他端部は、硬質先端部７１の内面７１１の形態に応じて形成される。本実施形態において、硬質先端部７１の内面７１１がテーパー面にされるに伴い、中継芯８０の他端部は、テーパー状に形成される。すなわち、中継芯８０の他端部は、硬質先端部７１の内面７１１と密接可能に形成される。本実施形態において、硬質先端部７１の内面７１１（テーパー面）が、隣接する筒状本体部７５の内面の一部であるテーパー面と連続するに伴い、中継芯８０の他端部は、硬質先端部７１の内面７１１であるテーパー面、及び、筒状本体部７５の内面の一部であるテーパー面（共通するテーパー面）と対応する範囲において、テーパー状に形成される。これにより、中継芯８０の他端部は、硬質先端部７１の内面７１１及び筒状本体部７５の内面の一部に対して密接可能とされる。
【００４７】
中継芯８０は、吸液性に優れた素材（発泡性樹脂や繊維材）を棒状に成型したものである。中継芯８０では、インクを流通させるインク流通路（図示しない）が、中継芯８０の外面又は内部において、中継芯８０の一端から他端にまで連続して形成される。なお、インク流通路は、微細な溝、或いは、微小な連続孔（気泡）により構成される。
【００４８】
中継芯８０は、コレクタ８１を貫通している。中継芯８０は、一端側の少なくとも一端面をインク貯留部６の内部空間Ｓに露出させ、他端側をペン先部７（ペン先部材７４）内に位置させる。
【００４９】
中継芯８０の他端部は、ペン先部７に対するインクの供給位置となる。本実施形態に係る中継芯８０は、他端部がペン先部材７４の硬質先端部７１にまで到達するように、ペン先部材７４の筒状本体部７５に挿入されている。これにより、中継芯８０は、ペン先部材７４の硬質先端部７１内にインクを供給できる。本実施形態において、中継芯８０の他端部は、ペン先部材７４の硬質先端部７１に嵌入されている。本実施形態では、中継芯８０の他端部の外面は、硬質先端部７１の内面７１１に密接させている。これにより、本実施形態においては、中継芯８０は、インクを硬質先端部７１内で通過させ、スリット７２０…（気泡体７３）に供給するようになっている。
【００５０】
コレクタ８１は、万年筆等の直液式のペンに採用される所謂羽状調節体である。コレクタ８１は、インク貯留部６とペン先部７との間に配置され、該コレクタ８１に挿通された中継芯８０に対する過剰なインク供給を抑制する。
【００５１】
ホルダー部９は、ペン先部７を挿通させる貫通孔９０を有し、該貫通孔９０にペン先部７が先端側（インク塗布部７０側）を外部に延出させるようにして挿通されている。
【００５２】
ホルダー部９は、筒状に形成されている。本実施形態において、ホルダー部９は、インク貯留部６に対して同心に配置されている。また、ホルダー部９は、インク貯留部６と別体、又は、一体的に成型され、本実施形態では、ホルダー部９は、インク貯留部６と一体的に成型されている。具体的には、本実施形態に係るリフィル５において、ホルダー部９は、インク貯留部６に対して接続部１０を介して連続して形成されている。
【００５３】
ホルダー部９において、貫通孔９０は、ペン先部材７４の筒状本体部７５の大径筒部７５ａを挿入可能に設定された第一孔部９０ａと、第一孔部９０ａと同心で連続する第二孔部９０ｂであって、ペン先部材７４の筒状本体部７５の小径筒部７５ｂを挿入可能な第二孔部９０ｂとを含む。貫通孔９０の中心軸方向は、筒状本体部７５の筒軸方向に沿った方向である。
【００５４】
本実施形態において、小径筒部７５ｂよりも大径筒部７５ａの方が大径であるため、第一孔部９０ａは、第二孔部９０ｂよりも大径に設定される。第一孔部９０ａの貫通孔９０の中心軸方向における長さは、大径筒部７５ａの筒状本体部７５の筒軸方向の長さと同一又は略同一に設定される。これに対し、第二孔部９０ｂの貫通孔９０の中心軸方向における長さは、小径筒部７５ｂの筒状本体部７５の筒軸方向の長さ以下に設定される。これにより、ペン先部７（ペン先部材７４）が貫通孔９０に挿入された状態において、ペン先部７の先端部（インク塗布部７０）がホルダー部９から突出する。
【００５５】
接続部１０は、インク誘導部８を嵌入可能な筒状に形成される。接続部１０は、ホルダー部９及びインク貯留部６と同心に配置される。接続部１０の一端は、ホルダー部９に接続され、接続部１０の他端はインク貯留部６の周壁部６０に接続される。接続部１０は、周壁部６０及びホルダー部９に対して別体、又は、一体的に成型される。本実施形態では、接続部１０は、周壁部６０及びホルダー部９に対して一体的に成型される。接続部１０には、インク誘導部８（中継芯８０の挿通されたコレクタ８１）が嵌入される。
【００５６】
リフィル５の構成は、以上の通りである。リフィル５は、外装体４（胴軸部４０）に嵌入される。この状態において、ペン本体２は、ペン先部７のインク塗布部７０に加え、ホルダー部９及び接続部１０の一部を外部に露出させている。これにより、本実施形態において、外部に露出したペン本体２（リフィル５）の接続部１０の一部及びホルダー部９が使用者の把持部分を構成している。
【００５７】
本実施形態に係るペン１（リフィル５）は、以上の通りであり、次に作用について説明する。
【００５８】
上記構成のペン１（リフィル５）において、インク貯留部６のインクは、インク誘導部８によって、ペン先部７に向けて誘導される。具体的に、インク誘導部８において、中継芯８０は、コレクタ８１によって、適量に調整された供給量のインクを、ペン先部７の内部に誘導する。
【００５９】
そして、ペン先部７の内部に誘導されたインク（ペン先部材７４の内部を通過するインク）は、気泡体７３の気泡を通って、硬質先端部７１の外面７１０にまで誘導される。これにより、塗布対象に対してペン先部７（インク塗布部７０）を接触（摺接）させると、塗布対象に対してインクが塗布される。このとき、使用者はペン先部７（インク塗布部７０）を塗布対象の表面上を移動させるため、硬質先端部７１の外面７１０上で貫通部７２を画定するエッジが塗布対象を削ってしまうことがある。しかし、本実施形態に係るペン１（リフィル５）のインク塗布部７０においては、貫通部７２に気泡体７３が充填されているため、削りカス（紙粉等）が貫通部７２に進入し、堆積することが防止される。そして、本実施形態に係るペン１（リフィル５）においては、気泡体７３の気泡を通ってインクが安定的に供給される。これにより、本実施形態に係るペン１（リフィル５）は、インクの塗布を安定的に行うことが可能となる。
【００６０】
以上のように、本実施形態に係るペン１は、インクを貯留するインク貯留部６と、インク貯留部６からインクが供給されるペン先部７であって、塗布対象に対してインクを塗布するインク塗布部７０を含むペン先部７とを備え、ペン先部７のインク塗布部７０は、硬質材料製の硬質先端部７１であって、半球面状の外面７１０及びインク貯留部６側を向く内面７１１を有し、且つ内面７１１側と外面７１０側とを貫通させた貫通部７２を有する硬質先端部７１と、少なくとも貫通部７２における硬質先端部７１の外面７１０側に充填された気泡体７３とを含む。
【００６１】
すなわち、本実施形態において、リフィル５は、インクを貯留するインク貯留部６であって、ペン１の外装を構成する胴軸部４０に収容されるインク貯留部６と、インク貯留部６からインクが供給されるペン先部７であって、胴軸部４０から露出し、塗布対象に対してインクを塗布するインク塗布部７０を含むペン先部７とを備え、ペン先部７のインク塗布部７０は、硬質材料製の硬質先端部７１であって、半球面状の外面７１０及びインク貯留部６側を向く内面７１１を有し、且つ内面７１１側と外面７１０側とを貫通させた貫通部７２を有する硬質先端部７１と、少なくとも貫通部７２における硬質先端部７１の外面７１０側に充填された気泡体７３と、を含む。
【００６２】
上記構成によれば、インク塗布部７０を構成する硬質先端部７１が硬質材料製であるため、硬質先端部７１の塗布対象に対する摺接による摩耗が抑えられる。硬質先端部７１の外面７１０上には内面７１１側と外面７１０側とを貫通させる貫通部７２を画定するエッジが形成されるため、従来と同様に、塗布対象の削りカスが発生することがある。
【００６３】
しかし、上記構成のペン１においては、少なくとも貫通部７２における硬質先端部７１の外面７１０側に気泡体７３が充填されているため、塗布対象の削りカスが貫通部７２に進入（堆積）することがない。そして、気泡体７３は、外表面に開放した気泡を有するため、その気泡がインク塗布部７０（硬質先端部７１）を内外で連通させる、即ち、気泡がインク塗布部７０（硬質先端部７１）の内と外とを連通させる。
【００６４】
従って、インクは、気泡体７３の気泡を通って硬質先端部７１の外面７１０に安定的に供給される。これにより、ペン先部７（硬質先端部７１）の外面７１０を塗布対象に摺接（接触）させることで、塗布対象に対してインクを安定的に塗布することができ
る。
【００６５】
よって、本実施形態に係るペン１（リフィル５）は、インク塗布部７０の摩耗を抑えつつ、塗布対象に対してインクを安定的に塗布することができるという優れた効果を奏し得る。
【００６６】
本実施形態において、貫通部７２は、硬質先端部７１の外面７１０における頂点を通る複数のスリット７２０…を有し、複数のスリット７２０…は、硬質先端部７１の外面７１０における頂点を中心にして放射状に配置されている。そのため、複数のスリット７２０…は、硬質先端部７１の外面７１０の頂点の周囲の複数箇所に配置される。従って、硬質先端部７１（インク塗布部７０）の貫通部７２（気泡体７３）が、塗布対象側に向く機会が多くなる。これにより、使用者がペン１を如何なる傾き（姿勢）で使用しても、塗布対象に対してインクを安定的に塗布することができる。
【００６７】
本実施形態において、気泡体７３は、弾性変形可能であるため、貫通部７２から露出する気泡体７３が、塗布対象に接触すると変形する。これにより、気泡体７３が塗布対象を削ってしまうこと（塗布対象にダメージを与えること）が抑制される。
【００６８】
なお、本発明は、上記実施形態に限定されるものではなく、本発明の要旨を逸脱しない範囲で適宜変更可能である。
【００６９】
上記実施形態において、筆記を行うための筆記具（文具）としてのペン１について説明したが、これに限定されるものではない。例えば、化粧に使用される化粧具として用いられるペンであっても勿論よい。また、ペンに用いられるリフィルは、化粧に使用される化粧具として用いられるペン用のリフィルであっても勿論よい。
【００７０】
上記実施形態において、特に言及しなかったが、リフィル５は、外装体４（胴軸部４０）に固着されてもよいし、外装体４（胴軸部４０）に対して着脱可能（交換可能）に取り付けられてもよい。
【００７１】
また、外装体４（胴軸部４０）にリフィル５が取り付けられたペン１に限定されるものではなく、例えば、外装体４（胴軸部４０）がインク貯留部６を形成し、該外装体４（胴軸部４０）にインク誘導部８やホルダー部９、ペン先部７が取り付けられたペン１であってもよい。すなわち、リフィル５そのものがペンを構成してもよい。
【００７２】
上記実施形態において、有底筒状に形成されたインク貯留部６に液状のインクがそのまま貯留され、インク誘導部８が、ペン先部７に対するインク貯留部６からのインクの供給量を調整するコレクタ８１を備えたが、これに限定されない。例えば、インク誘導部８が、中継芯８０のみを有し、該中継芯８０によってインク貯留部６のインクがペン先部７に供給されるようにしてもよい。
【００７３】
また、インク貯留部６は、内部空間Ｓ全体に充填されたインク吸蔵材にインクを吸蔵させたものや、内部空間Ｓの所定領域に液状のインクを充填し、内部空間Ｓの残りの領域に充填された吸液性を有するインク吸蔵材にインクを吸蔵させたもの等であってもよい。
【００７４】
上記実施形態において、貫通部７２が複数のスリット７２０…を有したが、これに限定されない。例えば、図６に示す如く、貫通部７２は、複数のスリット７２０…に代え、硬質先端部７１を内外で（硬質先端部７１の内と外とを）貫通させた複数の孔７２１…を有してもよい。この場合においても、複数の孔７２１…のそれぞれに気泡体７３が充填されることで、上記実施形態と同様の作用及び効果を奏することができる。
【００７５】
このように、貫通部７２が複数の孔７２１…を有する場合、複数の孔７２１…は、同形状且つ同サイズのものであってもよいが、それぞれ異なる形状であってもよいし、それぞれ異なるサイズであってもよい。また、複数の孔７２１…は、円形の孔であってもよいし、長孔や角孔等の各種形状の孔であってもよい。なお、複数の孔７２１…のそれぞれが長孔である場合、これらが筒状本体部７５の中心線の延びる方向に長手を有し且つ筒状本体部７５の中心線（筒軸）回りで間隔をあけて配置されることで、複数の孔７２１が上記実施形態のスリット７２０…と類似した配置になる。
【００７６】
上記実施形態において、ペン先部材７４は、金属製の棒材を加工して作製されたが、これに限定されない。例えば、ペン先部材７４（硬質先端部７１）は、金属製の筒状部材の端部に対して該筒状部材の中心線と同方向に延びる切り込み（スリット）を設けた上で、その端部を曲げ加工する（径方向に内側に絞り加工する）ことで作製されてもよい。また、ペン先部材７４は、セラミック等の無機材料である場合には、粉末の無機材料を完成品と対応する形状に型成型した上で焼成することで作製されてもよい。
【００７７】
上記実施形態において、貫通部７２の有する複数のスリット７２０…の幅が同一又は略同一に設定されたが、これに限定されない。例えば、図７に示す如く、貫通部７２の有する複数のスリット７２０…のそれぞれの幅が異なっていてもよい。このようにすれば、インクの塗布時にペン１の姿勢等を変更させ、塗布対象に向くスリット７２０…を変えることで、インクの吐出量（塗布対象へのインクの付着量）を変えることができ、線の太さを変更することができる。
【００７８】
上記実施形態において、貫通部７２の有する複数のスリット７２０…が硬質先端部７１を超えて筒状本体部７５（小径筒部７５ｂ）の途中位置にまで伸びたが、これに限定されない。例えば、貫通部７２の有するスリット７２０…は、硬質先端部７１の範囲内に形成されても勿論よい。
【００７９】
上記実施形態において、貫通部７２の有する複数のスリット７２０…が硬質先端部７１の外面７１０における頂点を通る仮想線を中心に等間隔をあけて配置されたが、これに限定されない。例えば、貫通部７２の有する複数のスリット７２０…は、硬質先端部７１の外面７１０における頂点を通る仮想線を中心に不均一に配置されてもよい。
【００８０】
上記実施形態において、硬質先端部７１の内面７１１（テーパー面）に中継芯８０の他端部が接触したが、これに限定されない。例えば、中継芯８０の他端部が硬質先端部７１の内面７１１に対して非接触な状態（間隔をあけた状態）で硬質先端部７１内に位置してもよい。但し、中継芯８０の他端部は、中継芯８０によって誘導されたインクがスリット７２０…まで誘導される位置に配置されることは勿論である。
【００８１】
上記実施形態において、硬質先端部７１の内面７１１が硬質先端部７１の外面７１０と非相似形のテーパー面にされたが、これに限定されない。例えば、硬質先端部７１の内面７１１は、該硬質先端部７１の外面７１０の相似形であってもよい。具体的には、硬質先端部７１の外面７１０は、外方に突出した半球面状に形成されるに対し、硬質先端部７１の外面７１０は、外方に向けて窪んだ半球面状に形成されてもよい。すなわち、硬質先端部７１の内面７１１は、曲率半径が硬質先端部７１の外面７１０の曲率半径よりも小さな半球面状に形成されることで、硬質先端部７１が、椀状或いはドーム状に形成されてもよい。また、硬質先端部７１全体が半球状に形成されることで、硬質先端部７１の内面７１１が平坦面であっても勿論よい。この場合においても、貫通部７２は、硬質先端部７１の外面７１０側と内面７１１側とを貫通させることは勿論である。
【００８２】
上記実施形態において、ペン先部材７４の筒状本体部７５が大径筒部７５ａと小径筒部７５ｂとを含んだがこれに限定されない。例えば、筒状本体部７５は、直管状（全長に亘って同径の筒状）に形成されてもよい。
【００８３】
上記実施形態において、気泡体７３が貫通部７２である複数のスリット７２０…のそれぞれに対して全体的に充填されたが、これに限定されない。例えば、気泡体７３は、少なくとも貫通部７２（スリット７２０、或いは孔７２１）における硬質先端部７１の外面側に充填されていてもよい。すなわち、気泡体７３は、貫通部７２のうち、インクの塗布時に塗布対象と接近する領域に充填されていればよい。このようにしても、気泡体７３の存在によって、塗布対象の削りカスが貫通部７２に進入したり堆積したりすることが防止され、塗布対象に対してインクを安定的に塗布することができる。
【００８４】
本発明によれば、インク塗布部の摩耗を抑えつつ、塗布対象に対してインクを安定的に塗布することができるという優れた効果を奏し得る。
【００８５】
本発明に係るペンは、インクを貯留するインク貯留部と、インク貯留部からインクが供給されるペン先部であって、インクの塗布対象に対してインクを塗布するインク塗布部を含むペン先部とを備え、ペン先部のインク塗布部は、硬質材料製の硬質先端部であって、半球面状の外面及びインク貯留部側を向く内面を有し、且つ内面側と外面側とを貫通させた貫通部を有する硬質先端部と、少なくとも貫通部における硬質先端部の外面側に充填され、且つ、前記貫通部における前記硬質先端部の外面側に位置する端縁から前記貫通部における前記硬質先端部の内面側に位置する端縁まで連通して延びる少なくとも一つの気泡が形成された少なくとも一つの気泡体と、を含むことを特徴とする。
【００８６】
上記構成によれば、インク塗布部を構成する硬質先端部が硬質材料製であるため、インクの塗布対象に対する摺接による摩耗が抑えられる。硬質先端部の外面上には内面側と外面側とを貫通させる貫通部を画定するエッジが形成されるため、従来と同様に、インクの塗布対象の削りカスが発生することがある。
【００８７】
しかし、上記構成のペンにおいては、少なくとも貫通部における硬質先端部の外面側に気泡体が充填されているため、インクの塗布対象の削りカスが貫通部に進入（堆積）することがない。そして、気泡体は、外表面に開放した気泡を有するため、その気泡がインク塗布部（硬質先端部）を内外で（インク塗布部（硬質先端部）の内と外とを）連通させる。
【００８８】
従って、インクは気泡体の気泡を通って硬質先端部の外面に安定的に供給される。これにより、ペン先部（硬質先端部）の外面をインクの塗布対象に摺接（接触）させることで、インクの塗布対象に対してインクを安定的に塗布することができる。
【００８９】
本発明の一態様として、貫通部は、硬質先端部の外面における頂点を通る複数のスリットを有し、複数のスリットは、硬質先端部の外面における頂点を中心にして放射状に配置されてもよい。
【００９０】
上記構成によれば、複数のスリットは、硬質先端部の頂点を中心にして放射状に配置されるため、硬質先端部の外面の頂点の周囲の複数箇所に配置される。従って、硬質先端部（インク塗布部）の貫通部（気泡体）がインクの塗布対象側に向く機会が多くなる。これにより、使用者がペンを如何なる傾き（姿勢）で使用しても、塗布対象に対してインクをより安定的に塗布することが可能となる。
【００９１】
この場合、複数のスリットのそれぞれの幅は、互いに異なっていてもよい。
【００９２】
このようにすれば、複数のスリットのそれぞれの幅が互いに異なるため、ペンを自身の軸芯回りで回転させ、インクの塗布対象に向くスリットを変えることで、インクの吐出量、例えば、インクの塗布対象へのインクの付着量を変えることができる。すなわち、インクの塗布対象に対して引く線の太さや点の大きさ等が変更可能になる。
【００９３】
本発明の別の態様として、前記少なくとも一つの気泡体は、弾性変形可能であることが好ましい。
【００９４】
上記構成によれば、気泡体が弾性変形可能であるため、貫通部から露出する気泡体がインクの塗布対象に接触すると変形する。これにより、気泡体がインクの塗布対象を削ってしまうこと（インクの塗布対象にダメージを与えること）が抑制される。
【００９５】
本発明に係るペン用リフィルは、インクを貯留するインク貯留部であって、ペンの外装を構成する胴軸部に収容されるインク貯留部と、インク貯留部からインクが供給されるペン先部であって、胴軸部から露出し、インクの塗布対象に対してインクを塗布するインク塗布部を含むペン先部とを備え、ペン先部のインク塗布部は、硬質材料製の硬質先端部であって、半球面状の外面及びインク貯留部側を向く内面を有し、且つ内面側と外面側とを貫通させた貫通部を有する硬質先端部と、少なくとも貫通部における硬質先端部の外面側に充填され、且つ、前記貫通部における前記硬質先端部の外面側に位置する端縁から前記貫通部における前記硬質先端部の内面側に位置する端縁まで連通して延びる少なくとも一つの気泡が形成された少なくとも一つの気泡体と、を含むことを特徴とする。
【００９６】
上記構成によれば、インク塗布部を構成する硬質先端部が硬質材料製であるため、インクの塗布対象に対する摺接による摩耗が抑えられる。硬質先端部の外面上には内面側と外面側とを貫通させる貫通部を画定するエッジが形成されるため、従来と同様に、インクの塗布対象の削りカスが発生することがある。
【００９７】
しかし、上記構成のペン用リフィルにおいては、少なくとも貫通部における硬質先端部の外面側に気泡体が充填されているため、インクの塗布対象の削りカスが貫通部に進入（堆積）することがない。そして、気泡体は、外表面に開放した気泡を有するため、その気泡がインク塗布部（硬質先端部）を内外で（インク塗布部（硬質先端部）の内と外とを）連通させる。
【００９８】
従って、インクは気泡体の気泡を通って硬質先端部の外面に安定的に供給される。これにより、ペン先部（硬質先端部）の外面をインクの塗布対象に摺接（接触）させることで、インクの塗布対象に対してインクを安定的に塗布することができる。
【００９９】
本発明の一態様として、貫通部は、硬質先端部の外面における頂点を通る複数のスリットを有し、複数のスリットは、硬質先端部の外面における頂点を中心にして放射状に配置されてもよい。
【０１００】
上記構成によれば、複数のスリットは、硬質先端部の頂点を中心にして放射状に配置されるため、硬質先端部の外面の頂点の周囲の複数箇所に配置される。従って、硬質先端部（インク塗布部）の貫通部（気泡体）がインクの塗布対象側に向く機会が多くなる。これにより、使用者がペンを如何なる傾き（姿勢）で使用しても、塗布対象に対してインクをより安定的に塗布することが可能となる。
【０１０１】
この場合、複数のスリットのそれぞれの幅は、互いに異なっていてもよい。
【０１０２】
このようにすれば、複数のスリットのそれぞれの幅が互いに異なるため、ペンを自身の軸芯回りで回転させ、インクの塗布対象に向くスリットを変えることで、インクの吐出量、例えば、インクの塗布対象へのインクの付着量を変えることができる。すなわち、インクの塗布対象に対して引く線の太さや点の大きさ等が変更可能になる。
【０１０３】
本発明の別の態様として、前記少なくとも一つの気泡体は、弾性変形可能であることが好ましい。
【０１０４】
上記構成によれば、気泡体が弾性変形可能であるため、貫通部から露出する気泡体がインクの塗布対象に接触すると変形する。これにより、気泡体がインクの塗布対象を削ってしまうこと（インクの塗布対象にダメージを与えること）が抑制される。
【符号の説明】
【０１０５】
１…ペン、２…ペン本体、３…キャップ、４…外装体、５…ペン用リフィル（リフィル）、６…インク貯留部、７…ペン先部、８…インク誘導部、９…ホルダー部、１０…接続部、４０…胴軸部、４１…尻部、６０…周壁部、６１…閉塞部、７０…インク塗布部、７１…硬質先端部、７２…貫通部、７３…気泡体、７４…ペン先部材、７５…筒状本体部、７５ａ…大径筒部、７５ｂ…小径筒部、８０…中継芯、８１…コレクタ、９０…貫通孔、９０ａ…第一孔部、９０ｂ…第二孔部、７１０…外面、７１１…内面、７２０…スリット、７２１…孔、７５１…第一端、７５２…第二端、Ｓ…内部空間
【図１】
2019230702.tif 000003
【図２】
2019230702.tif 000004
【図３】
2019230702.tif 000005
【図４】
2019230702.tif 000006
【図５】
2019230702.tif 000007
【図６】
2019230702.tif 000008
【図７】
2019230702.tif 000009
【国際調査報告】
2019230702.tif 000010
2019230702.tif 000011
2019230702.tif 000012
2019230702.tif 000013